【事件の表示】
　特願２０１１−２４４４０８号「遊技機」拒絶査定不服審判事件〔平成２５年５月２３日出願公開、特開２０１３−９９４１０号〕について、次のとおり審決する。
【結　論】
　本件審判の請求は、成り立たない。
【理　由】
１　手続の経緯の概要
　本願は、平成２３年１１月８日の出願であって、平成２５年５月２９日付けで拒絶の理由が通知され、同年７月２９日に意見書及び手続補正書が提出され、さらに、平成２６年４月３０日付けで最後の拒絶の理由が通知され、同年６月３０日に意見書及び手続補正書が提出されたところ、同年１２月１１日付けで、同年６月３０日に提出された手続補正書でした補正の却下の決定がなされ、同日付けで拒絶査定がなされ（発送日：同年１２月２４日）、それに対し、平成２７年３月１６日に拒絶査定不服審判の請求がなされると同時に手続補正書が提出されたものである。
　そして、当審にて平成２８年５月１７日付けで拒絶理由を通知したところ、同年７月８日に意見書が提出されたものである。
　
２　本願発明
　本願の請求項１、２に係る発明は、平成２７年３月１６日付け手続補正書により補正された特許請求の範囲の請求項１、２に記載された事項により特定されるところ、請求項１に係る発明（以下「本願発明」という。）は、次のとおりのものである（Ａ〜Ｎは、当審にて分説して付与した。）。
「Ａ　遊技球が流下可能な遊技領域に設けられた第１始動領域および第２始動領域と、
Ｂ　　前記第２始動領域を遊技球が通過し難い第１状態と、当該第１状態よりも遊技球が通過し易い第２状態とに作動し得る第１可変入賞装置と、
Ｃ１　前記遊技領域に設けられた入賞領域と、
Ｃ２　前記入賞領域を遊技球が通過しない閉状態と、遊技球が通過可能な開状態とに作動し得る第２可変入賞装置と、
Ｄ１　前記第１始動領域または前記第２始動領域を遊技球が通過することを条件に、前記第２可変入賞装置を前記開状態に作動させる特別遊技を行うか否かを所定の確率で判定する特別遊技判定手段と、
Ｅ　　前記特別遊技判定手段による判定結果に基づいて、前記第１可変入賞装置を前記第２状態に作動させ易くすると共に、前記特別遊技判定手段により前記特別遊技を行うか否かが通常確率よりも高い高確率で判定される特定遊技を行うか否かを判定する特定遊技判定手段と、
Ｆ　　前記特別遊技判定手段により前記特別遊技を行うと判定された場合、前記第２可変入賞装置が前記開状態に作動させられる開放時間が異なる複数種類の特別遊技のうち１の特別遊技を決定する特別遊技決定手段と、
Ｇ　　前記特別遊技決定手段により決定された前記１の特別遊技を行う特別遊技手段と、
Ｈ　　前記特定遊技判定手段により前記特定遊技を行うと判定された場合、前記特別遊技手段により前記１の特別遊技が行われた後に、前記特定遊技を行う特定遊技手段と、
Ｉ　　前記特定遊技判定手段により前記特定遊技を行わないと判定された場合、前記特別遊技手段により前記１の特別遊技が行われた後に、前記第１可変入賞装置を前記第２状態に作動させ易くすると共に、前記特別遊技判定手段により前記特別遊技を行うか否かが前記通常確率で判定される非特定遊技を行う非特定遊技手段と、を備え、
Ｄ２　前記特別遊技判定手段は、
　　　　前記第１始動領域を遊技球が通過することを条件に、前記特別遊技を行うか否かを判定する第１特別遊技判定手段と、
　　　　前記第２始動領域を遊技球が通過することを条件に、前記特別遊技を行うか否かを判定する第２特別遊技判定手段と、を有し、
　　　前記特別遊技決定手段は、
Ｊ　　　前記第１特別遊技判定手段により前記特別遊技を行うと判定され且つ前記特定遊技判定手段により前記特定遊技を行うと判定された場合、前記第２可変入賞装置が第１の開放時間前記開状態に作動させられる第１特別遊技を決定し、
Ｋ　　　前記第２特別遊技判定手段により前記特別遊技を行うと判定され且つ前記特定遊技判定手段により前記特定遊技を行わないと判定された場合、前記第２可変入賞装置が所定の開放時間前記開状態に作動させられる所定の特別遊技を決定し、
Ｌ、Ｍ　前記第２特別遊技判定手段により前記特別遊技を行うと判定され且つ前記特定遊技判定手段により前記特定遊技を行うと判定された場合、前記複数種類の特別遊技のうち前記第２可変入賞装置が前記第１の開放時間よりも短い第２の開放時間前記開状態に作動させられる第２特別遊技、および、前記第２可変入賞装置が前記第１の開放時間よりも長い第３の開放時間前記開状態に作動させられる第３特別遊技の何れかをそれぞれ所定の割合で決定し、
Ｎ　　　前記第１特別遊技判定手段により前記特別遊技を行うと判定され且つ前記特定遊技判定手段により前記特定遊技を行わないと判定された場合、前記第２可変入賞装置が前記第１の開放時間よりも短い第５の開放時間前記開状態に作動させられる第５特別遊技を決定することを特徴とする遊技機。」
　
３　当審の平成２８年５月１７日付け拒絶理由の概要
　当審の平成２８年５月１７日付け拒絶理由の概要は、次のとおりである。
　
　本願の請求項１、２に係る発明は、その出願前日本国内において頒布された特開２０１０−２０７２５９号公報（以下「刊行物」という。）に記載された発明であるから、特許法第２９条第１項第３号に該当し、特許を受けることができない。
　また、本願の請求項１、２に係る発明は、その出願前日本国内において頒布された上記刊行物に記載された発明に基いて、その出願前にその発明の属する技術の分野における通常の知識を有する者が容易に発明をすることができたものであるから、特許法第２９条第２項の規定により特許を受けることができない。
　
４　刊行物に記載された発明
　当審による拒絶理由において刊行物として提示された、本願の出願前に頒布された刊行物である特開２０１０−２０７２５９号公報には、図面と共に次の事項が記載されている（下線は審決にて付した。）。
　ア　「【特許請求の範囲】
【請求項１】
　始動条件の成立に伴って乱数値の抽選を行い、該抽選結果に基づいて、
大入賞口を開閉動作させる特別遊技
を実行する
　前記１ラウンドにおける前記大入賞口の開放期間を複数に分割し、且つ、分割した各分割開放期間における遊技球の入賞個数が所定の上限個数に達したときに、前記大入賞口を開閉制御する制御手段を備えたことを特徴とするパチンコ遊技機。」
　
　イ　「【技術分野】
【０００１】
　本発明は、
パチンコ遊技機
　
　ウ　「【発明が解決しようとする課題】
【０００７】
　図２１は、従来のパチンコ遊技機において長当たりに当選した時の大入賞口の開成動作を示した図である。
　この図２１に示すように、従来のパチンコ遊技機において長当たりに当選した場合は、例えば大入賞口が所定期間（例えば３０秒）開放状態となるか、若しくは大入賞口に遊技球が所定個数（例えば９個）入賞するまでの期間を１ラウンド（１Ｒ）としたラウンド動作を所定ラウンド（１５Ｒ）繰り返す大当たり動作を実行するようにしている。
　しかしながら、上記図２１に示した大当たり動作は、大入賞口の開閉動作を所定ラウンド数繰り返すという単調な動作であるため、面白みに欠けるという問題点があった。
　本発明は上記したような点を鑑みたものであり、大当たり遊技時の新たな遊技性を実現することができるパチンコ遊技機を提供することを目的とする。」
　
　エ　「【図面の簡単な説明】
【００１２】
【図１】本発明の実施形態に係るパチンコ遊技機の一例を示した正面図である。
【図２】本実施形態のパチンコ遊技機の動作制御を行う遊技制御装置の構成を示したブロック図である。
【図３】本実施形態に係るパチンコ遊技機のメイン制御基板の主要な制御機能を示した機能ブロック図である。
【図４】本実施形態のパチンコ遊技機において、長当たりに当選した時に実行する大入賞口の開放期間の一例を示した図であり、（ａ）は第１長当たり遊技、（ｂ）は第２長当たり遊技、（ｃ）は第３長当たり遊技における大入賞口の開放期間をそれぞれ示した図である。
【図５】メイン制御基板において各種乱数を取得するための乱数テーブルであり、（ａ）は大当たり乱数を取得するための大当たり乱数テーブル、
（ｂ）は上始動口に遊技球が入球した時に大当たり図柄乱数を取得する大当たり図柄乱数テーブル
（ｃ）は電チューに遊技球が入球した時に大当たり図柄乱数を取得する大当たり図柄乱数テーブル
【図６】ＣＰＵが実行するタイマ割込処理の一例を示したフローチャートである。
【図７】第１始動口ＳＷ処理の一例を示したフローチャートである。
【図８】第２始動口ＳＷ処理の一例を示したフローチャートである。
【図９】ゲートＳＷ処理の一例を示したフローチャートである。
【図１０】特別図柄処理の一例を示したフローチャートである。
【図１１】大当たり判定処理の一例を示したフローチャートである。
【図１２】変動パターン選択処理の一例を示したフローチャートである。
【図１３】変動停止中処理の一例を示したフローチャートである。
【図１４】普通図柄処理の一例を示したフローチャートである。
【図１５】大入賞口処理の一例を示したフローチャートである。
【図１６】Ｒ数／開放パターン設定処理の一例を示したフローチャートである。
【図１７】Ｒ数／作動パターンの一例を示した図である。
【図１８】遊技状態設定処理の一例を示したフローチャートである。
【図１９】電チュー処理の一例を示したフローチャートである。
【図２０】出力処理の一例を示したフローチャートである。
【図２１】従来のパチンコ遊技機において長当たりに当選した時の大入賞口の開成動作を示した図である。」
　
　オ　「【発明を実施するための形態】
【００１３】
　以下、本発明のパチンコ遊技機の実施形態について説明する。
　図１は、本発明の実施形態に係るパチンコ遊技機の全体正面図である。
　この図１に示すパチンコ遊技機１００は、矩形形状の枠１０１を有し、この枠１０１の窓孔に対して遊技盤１０が着脱可能に取り付けられている。
　遊技盤１０の前面側には、図示しないガラス枠が開閉可能に取り付けられている。また遊技盤１０の下部には、遊技球を貯留する受け皿部１０２と、この受け皿部１０２の遊技球を発射する発射レバー１０３等が設けられている。
　受け皿部１０２の上面には、例えば遊技者自身に操作を行わせて遊技に対する参加感を演出する演出ボタン１０４が設けられている。また、図示しないが受け皿部１０２の上面には、遊技球の購入ボタン、購入取り消しボタン、受け皿部１０２内の遊技球を下方から外部に抜くための球抜きボタン等が設けられている。
【００１４】
　遊技盤１０の裏面には、液晶画面、主制御基板とサブ制御基板等、遊技の進行、演出に関わる裏部品を組み付けた合成樹脂製の機構板（何れも図示せず）が開閉自在に装着されている。
遊技盤１０における遊技領域１０ａ
　遊技盤１０のほぼ中央には、画像表示手段である画像表示器１１が配置されている。画像表示器１１は、例えば、液晶表示装置等の液晶表示パネルにより構成され、通常動作状態の時は、特別図柄に応じた装飾図柄、例えば数字図柄、アルファベット図柄、キャラクター図柄等の画像が表示される。また、所謂リーチ状態や特別遊技状態の時は、それぞれの遊技状態であることを示す演出画像等も表示される。
　画像表示器１１の下方には、
可変入賞装置１２が配置されている。可変入賞装置１２は、上始動口１３と、左右一対の開閉爪（可動片）を有する電動式
電チュー
１４とを備えて構成される
【００１５】
　また画像表示器１１の左側には、後述する普通図柄表示器２３を作動させるためのゲート１５が設けられている。ゲート１５は、その内部にゲートスイッチ（ＳＷ）１５ａ（図２参照）が設けられており、遊技球がゲートＳＷ１５ａを通過したときに、普通図柄表示器２３の普通図柄が所定時間作動して停止するようになっている。普通図柄表示器２３の普通図柄が所定態様で停止した場合は、電チュー１４が所定時間、開成動作するように構成されている。
　
可変入賞装置１２の下方には、特別遊技状態のときに開成状態になる大入賞装置の大入賞口１６が設けられている
　さらに遊技盤１０の遊技領域１０ａには、普通入賞口１７が設けられていると共に、風車や図示しない多数の遊技釘が突設されている。遊技釘は、遊技球の落下速度を遅くすると共に、落下方向を複雑に変化させて遊技進行上の興趣を高めている。
　遊技盤１０の右側下方の遊技領域外には、第１特別図柄の変動と表示を行う第１特別図柄表示器２１、第２特別図柄の変動と表示を行う第２特別図柄表示器２２、及び普通図柄の変動と表示を行う普通図柄表示器２３が設けられている。第１特別図柄表示器２１及び第２特別図柄表示器２２は、特別図柄を変動表示させ所定時間経過後に当該変動表示を静止させることにより当たりに当選したか否か表示する。
・・・
【００１７】
　図２は、本実施形態のパチンコ遊技機全体の遊技制御を行う遊技制御装置の構成を示したブロック図である。
　この図２に示す遊技制御装置には、主制御基板として、遊技の進行を制御するメイン制御基板１１１が設けられている、また副（サブ）制御基板として、演出制御基板１２１、画像制御基板１３１、ランプ制御基板１４１、払出制御基板１５１等が設けられている。
　
メイン制御基板１１１は、ＣＰＵ１１２
を有し
　メイン制御基板１１１には、上始動口１３に設けられた第１始動口ＳＷ１３ａ、電チュー１４に設けられた第２始動口ＳＷ１４ａ、
電チュー１４を開閉動作させるための電チューソレノイド１４ｂ
　
　カ　「【００２０】
  本実施形態のパチンコ遊技機においては、制御手段である
メイン制御基板１１１が
特別遊技として大当たり遊技を実行する
　大当たり遊技としては、大入賞口１６の開閉扉１９を開閉動作させる大当たり遊技（特別遊技）として、大入賞口１６を開放可能な最大開放期間が第１の時間（例えば２９．５秒）、或いは大入賞口１６に遊技球が規定個数（例えば９個）入賞するまでの期間を１ラウンドとし、例えばラウンド回数が１５ラウンドの長当たり遊技と、同じく大当たりのラウンド回数が１５ラウンドで１ラウンドの最大開放時間が第２の時間（例えば、０．０５２秒）と第１の時間より極端に短い短当たり遊技が実行可能とされる。
　また本実施形態のパチンコ遊技機は、長当たり遊技として、後述する第１長当たり遊技、第２長当たり遊技、第３長当たり遊技を実行可能とされる。
　更に本実施形態のパチンコ遊技機は、大入賞口１６の開閉扉１９が上記した短当たりと同様に作動するものの、その作動前後で遊技状態が変化しない小当たり遊技も実行可能とされる。
　その上で、本実施形態のパチンコ遊技機においては、メイン制御基板１１１が長当たり遊技を実行する際に、１ラウンドにおける大入賞口１６の開閉動作を複数回に分割し、且つ分割した１回の開放状態における遊技球の入賞個数が所定の上限個数に達したときに大入賞口１６を開放状態から閉鎖状態に制御するようにした点に特徴がある。
【００２１】
　図４は、本実施形態のパチンコ遊技機において、長当たりに当選した時に実行する大入賞口の開放期間の一例を示した図であり、（ａ）は第１長当たり遊技、（ｂ）は第２長当たり遊技、（ｃ）は第３長当たり遊技における大入賞口の開放期間の一例をそれぞれ示した図である。
　図４（ａ）に示す第１長当たり遊技では、１ラウンドにおける大入賞口１６の開閉期間を、第１の分割開放期間１ｒ、第２の開放期間２ｒ、第３の開放期間３ｒの３つの開放期間に分割するようにした。そして分割した各分割開放期間１ｒ、２ｒ、３ｒにおける遊技球の入賞個数の上限個数をそれぞれ３個に設定し、各分割開放期間１ｒ、２ｒ、３ｒにおける入賞個数が上限個数に達したとき、或いは各分割開放期間１ｒ、２ｒ、３ｒが予め設定された設定時間（例えば各９秒）に達したときに、大入賞口１６の開閉扉１９を開閉制御するようにした。なお、
各分割開放期間１ｒ、２ｒ、３ｒの総開放時間は
大入賞口１６の最大開放期間（３０秒）を超えない時間に設定する必要がある
　
　キ　「【００２６】
　以下、これまで説明した本実施の形態のパチンコ遊技機の動作を実現するための各部の構成について説明する。
　先ず、図５を用いて
メイン制御基板において各種乱数値を取得するための乱数テーブル
　図５（ａ）は、メイン制御基板において、大当たり乱数を取得するための大当たり乱数テーブル、
図５（ｂ）は上始動口に遊技球が入球した時に大当たり図柄乱数を取得する大当たり図柄乱数テーブル、図５（ｃ）は電チューに遊技球が入球した時に大当たり図柄乱数を取得する大当たり図柄乱数テーブル
【００２７】
　
図５（ａ）に示す大当たり乱数テーブルでは、上始動口１３又は電チュー１４に遊技球が入球した時に、
一つの乱数値を取得する
通常遊技状態（低確率遊技状態）では、大当たりの割合が、例えば１／３００に設定され
高確率遊技状態では、大当たりの割合が１０倍の１０／３００に設定され、
　また図５（ａ）に示す大当たり乱数テーブルでは、ハズレの一種である小当たりの抽選も行っている。ここでは、小当たりの割合が６／３００に設定され、取得した大当たり乱数値が「０」、「５０」、「１００」、「１５０」、「２００」、「２５０」のときに小当たりと判定する。
【００２８】
　
図５（ｂ）に示す大当たり図柄乱数テーブルでは
第１の高確率時短付長当たりであると判定する
　
第１の高確率時短付長当たりは
大当たり遊技終了後に高確率遊技と時短遊技の両方を付与した大当たりである
【００２９】
　大当たり図柄乱数値が「４０」〜「４７」の場合は、
第２の高確率時短付長当たりであると判定する
第２の高確率時短付長当たりは
大当たり遊技終了後に高確率遊技と時短遊技の両方を付与した大当たりである
　大当たり図柄乱数値が「４８」〜「５５」の場合は、
第３の高確率時短付長当たりであると判定する
第３の高確率時短付長当たりは
大当たり遊技終了後に高確率遊技と時短遊技の両方を付与した大当たりである
【００３０】
　大当たり図柄の乱数値が「５６」〜「９５」の場合は、
第１の通常時短付長当たりであると判定する
第１の通常時短付長当たりは
大当たり遊技終了後に所定期間（例えば１００回）の時短遊技を付与した大当たりである
　大当たり図柄乱数値が「９６」〜「１０３」の場合は、
第２の通常時短付長当たりであると判定する
第２の通常時短付長当たりは
大当たり遊技終了後に所定期間（例えば１００回）の時短遊技を付与した大当たりである
【００３１】
　大当たり図柄乱数値が「１０４」〜「１１１」の場合は、
第３の通常時短付長当たりであると判定する
第３の通常時短付長当たりは
大当たり遊技終了後に所定期間（例えば１００回）の時短遊技を付与した大当たりである
　大当たり図柄の乱数値が「１１２」〜「１１８」の場合は、高確率時短付短当たりと判定する。高確率時短付短当たりは、大当たり遊技時における大入賞口１６の開放時間が短く出球の払い出しは期待できないものの、大当たり遊技終了後に高確率遊技と時短遊技の両方を付与した大当たりであり、「突確大当たり」に相当する。
・・・
【００３３】
　一方、
図５（ｃ）に示す大当たり図柄乱数テーブルでは、取得した大当たり図柄乱数値が
第１の高確率時短付長当たりであると判定し
第２の高確率時短付長当たりであると判定し
第３の高確率時短付長当たりであると判定する
　大当たり図柄の乱数値が「１０３」〜「１４２」の場合は、
第１の通常時短付長当たりであると判定し
第２の通常時短付長当たりであると判定
第３の通常時短付長当たりであると判定する
　大当たり図柄の乱数値が「１５９」〜「１７３」の場合は、高確率時短付短当たり、大当たり図柄の乱数値が「１７４」〜「１８９」の場合は、通常時短付短当たり、大当たり図柄の乱数値が「１９０」〜「１９２」の場合は、高確率時短無し短当たり、大当たり図柄の乱数値が「１９３」〜「１９９」の場合は、通常時短無し短当たりと夫々判定する。
【００３４】
　図５（ｂ）に示す大当たり図柄乱数テーブルと、図５（ｃ）に示す大当たり図柄乱数テーブルとを比較すると、図５（ｂ）に示す大当たり図柄乱数テーブルでは、第１の高確率時短付長当たりの割合が４０／２００であるのに対して、図５（ｃ）に示す大当たり図柄乱数テーブルでは、第１の高確率時短付長当たりの割合が９０／２００であり、図５（ｃ）に示す大当たり図柄乱数テーブルのほうが第１の高確率時短付長当たりの割合が高くなっている。また、図５（ｂ）に示す大当たり図柄乱数テーブルでは、高確率時短無し短当たり（潜伏確変大当たり）の割合が７４／２００であるのに対して、図５（ｃ）に示す大当たり図柄乱数テーブルでは、高確率時短無し短当たりの割合が３／２００であり、図５（ｃ）に示す大当たり図柄乱数テーブルでは、高確率時短無し短当たりの割合が極端に低くなっている。
【００３５】
　
これは電チュー１４に遊技球が入賞するのは、主として電チュー１４の開口時間が長くなる時短遊技状態である
　このため、本実施形態では、電チュー１４に遊技球が入球したときに使用する大当たり図柄乱数テーブルでは、高確率時短無し短当たりに当選する割合を低く設定し、その分、第１の高確率時短付長当たりに当選する割合を高く設定することで、時短遊技状態において、遊技者に不利な遊技状態になってしまうのを防止するようにしている。
　図５（ｄ）に示すリーチ乱数テーブルでは、始動入賞時、「０」〜「２４９」までの２５０個の乱数の中からから一つの乱数値を取得し、取得したリーチ乱数値が「０」〜「２１」のときにリーチ有り、取得したリーチ乱数値が「２２」〜「２４９」のときにリーチ無しと判断する。
　
　ク　「【００３６】
　次に、本実施の形態のパチンコ遊技機の動作を実現するために遊技制御装置のメイン制御基板１１１が実行する処理の一例について説明する。なお、以下に説明する処理は、メイン制御基板１１１のＣＰＵ１１２がＲＯＭ１１３に格納されている各種プログラムを実行することにより実現できる。
・・・
【００３８】
　以下、本実施形態のパチンコ遊技機のＣＰＵがタイマ割込処理において実行する特徴的な処理について説明する。
　[第１始動口ＳＷ処理]
　図７は、第１始動口ＳＷ処理の一例を示したフローチャートである。
　
ＣＰＵ１１２は
第１始動口ＳＷ１３ａがＯＮであると判別した場合は
　次に、
各種乱数（大当たり乱数、大当たり図柄乱数、リーチ乱数）を取得し
Ｓ２４
【００３９】
　[第２始動口ＳＷ処理]
　図８は、第２始動口ＳＷ処理の一例を示したフローチャートである。
　
ＣＰＵ１１２は
第２始動口ＳＷ１４ａがＯＮであると判別した場合は
　次に、
各種乱数（大当たり乱数、大当たり図柄乱数、リーチ乱数）を取得し
Ｓ３４
・・・
【００４５】
　[大当たり判定処理]
　図１１は、大当たり判定処理の一例を示したフローチャートである。
　
ＣＰＵ１１２は
高確率遊技フラグがＯＮであると判別した場合は
高確率時乱数判定テーブルを選択し
高確率遊技フラグがＯＮでないと判別した場合は
低確率時乱数判定テーブルを選択する
【００４６】
　次に、
ＣＰＵ１１２は、大当たり乱数の判定を行い（Ｓ２０４）
ここで、大当たりと判別した場合は、大当たり図柄乱数の判定を行い（Ｓ２０６）、その判定結果に基づいて、第１特別図柄表示器２１又は第２特別図柄表示器２２に大当たり図柄をセットする（Ｓ２０７）
　一方、ステップＳ２０５において、大当たりでないと判別した場合は、ステップＳ２０８において、大当たり乱数により小当たりであるか否かの判別を行う（Ｓ２０８）。ここで、小当たりと判別した場合は、第１特別図柄表示器２１又は第２特別図柄表示器２２に小当たり図柄をセットし（Ｓ２０９）、小当たりでない判別した場合は、第１特別図柄表示器２１又は第２特別図柄表示器２２にハズレ図柄をセットする（Ｓ２１０）。この後、大当たり判定処理を終了する。」
　
　ケ　「【００５３】
　[大入賞口処理]
　図１５は、
大入賞口処理
　
ＣＰＵ１１２は
　一方、ステップＳ６０１において、大当たり遊技フラグがＯＮであると判別した場合は、次にステップＳ６０２において、現在オープニング中であるか否かの判別を行う。ここで、オープニング中であると判別した場合は、ステップＳ６０３において、予め設定されたオープニング時間を経過したか否かの判別を行い、オープニング時間を経過したと判別した場合は、ステップＳ６０４において、ラウンド数（Ｒ数）／作動パターン設定処理を行う。なお、Ｒ数／作動パターン設定処理については後述する。」
　
　コ　「【００５７】
　[Ｒ数／作動パターン設定処理]
　図１６は、
Ｒ数／作動パターン設定処理
　この場合、
ＣＰＵ１１２は、
第１長当たりであると判別した場合は
、第１パターンを設定し
　
第１パターンは、図１７に示すように
１Ｒ中の作動パターンは９秒開放×３回
である
【００５８】
　一方、ステップＳ７０２において、長当たりが第１長当たりでないと判別した場合は、ステップＳ７０４において、長当たりが第２長当たりであるか否かの判別を行い、
第２長当たりであると判別した場合は
第２パターンを設定し
　
第２パターンは、図１７に示すように
１Ｒ中の作動パターンは、５秒開放×２、及び１９秒開放×１回
である
　また、ステップＳ７０４において、
長当たりが第２長当たりでないと判別した場合は
第３パターンを設定し
　
第３パターンは、図１７に示すように
１Ｒ中の作動パターンは、９秒開放×１回
である
【００５９】
　また、ステップＳ７０１において、当たりが長当たりでないと判別した場合は、ステップＳ７０７において、当たりが短当たりであるか否かの判別を行い、短当たりであると判別した場合は、ステップＳ７０７において、
短当たりパターンを設定し
１Ｒ中の作動パターンは０．１秒開放×１回である
　また、ステップＳ７０７において、短当たりでないと判別した場合は、ステップＳ７０９において、小当たりパターンを設定して、Ｒ数／作動パターン設定処理を終了する。
　小当たりパターンは、図１７に示すように、例えばラウンド数が１Ｒで、１Ｒ中の作動パターンは、０．１秒開放×１５回である。従って、小当たりパターンが設定された場合は、図１５に示した大入賞口処理における最大ラウンド数Ｒは１５Ｒ、最大分割回数ｒは１５回、作動時間は０．１秒になる。」
　
　サ　【図６】〜【図８】の図示内容、及び、上記クの【００３８】、【００３９】の記載事項から、刊行物には、
ＣＰＵ１１２
第１始動口ＳＷ１３ａがＯＮであると判別した場合、または、第２始動口ＳＷ１４ａがＯＮであると判別した場合
各種乱数（大当たり乱数、大当たり図柄乱数、リーチ乱数）を取得（Ｓ２４、Ｓ３４
）すること
高確率遊技フラグがＯＮであると判別した場合は高確率時乱数判定テーブルを選択し（Ｓ２０２）、高確率遊技フラグがＯＮでないと判別した場合は低確率時乱数判定テーブルを選択し（Ｓ２０３）、大当たり乱数の判定を行（Ｓ２０４）うこと
　
　シ　上記キの【００２８】〜【００３３】の記載事項、上記コの【００５７】〜【００５９】の記載事項、及び、【図１７】の図示内容から、刊行物には、
ＣＰＵ１１２が、上始動口に遊技球が入球した時に大当たり図柄乱数を取得する大当たり図柄乱数テーブルと、電チューに遊技球が入球した時に大当たり図柄乱数を取得する大当たり図柄乱数テーブルとで各種大当たりの選択比率は異なるが、いずれかのテーブルを用いて、大当たり図柄に対応させて
　
大当たり遊技終了後に高確率遊技と時短遊技の両方を付与する大当たりとして、１Ｒの総開放時間が２７秒（９秒開放×３回）の第１パターンを用いた第１の高確率時短付長当たり、１Ｒの総開放時間が２９秒（５秒開放×２、及び１９秒開放×１回）の第２パターンを用いた第２の高確率時短付長当たり、１Ｒの総開放時間が９秒（９秒開放×１回）の第３パターンを用いた第３の高確率時短付長当たりを決定可能とし、
　
大当たり遊技終了後に所定期間（例えば１００回）の時短遊技を付与する大当たりとして、１Ｒの総開放時間が２７秒（９秒開放×３回）の第１パターンを用いた第１の通常時短付長当たり、１Ｒの総開放時間が２９秒（５秒開放×２、及び１９秒開放×１回）の第２パターンを用いた第２の通常時短付長当たり、１Ｒの総開放時間が９秒（９秒開放×１回）の第３パターンを用いた第３の通常時短付長当たりを決定可能とすること
　
　ス　上記ア〜コの記載事項、及び上記サ、シの認定事項から、刊行物には以下の発明（以下「刊行物発明」という。）が記載されていると認められる（ａ〜ｎは、本願発明のＡ〜Ｎに対応させて付与した。）。
「ａ　遊技盤１０における遊技領域１０ａに配置されている、上始動口１３と電チュー１４とから構成される可変入賞装置１２を備え（【００１４】）、
ｂ　　電チュー１４は、左右一対の開閉爪（可動片）を有する電動式であり（【００１４】）、
ｃ　　可変入賞装置１２の下方には、特別遊技状態のときに開成状態になる大入賞装置の大入賞口１６が設けられ（【００１５】）、
　
　　　ＣＰＵ１１２は、
ｄ、ｅ　第１始動口ＳＷ１３ａがＯＮであると判別した場合、または、第２始動口ＳＷ１４ａがＯＮであると判別した場合に各種乱数（大当たり乱数、大当たり図柄乱数、リーチ乱数）を取得（Ｓ２４、Ｓ３４）し、高確率遊技フラグがＯＮであると判別した場合は高確率時乱数判定テーブルを選択し（Ｓ２０２）、高確率遊技フラグがＯＮでないと判別した場合は低確率時乱数判定テーブルを選択し（Ｓ２０３）、大当たり乱数の判定を行（Ｓ２０４）い（認定事項サ）、大当たりと判別した場合は、大当たり図柄乱数の判定を行い（Ｓ２０６）（【００４６】）、大当たり図柄乱数の判定結果に基づいて、第１特別図柄表示器２１又は第２特別図柄表示器２２に大当たり図柄をセットし（Ｓ２０７）（【００４６】）、
ｄ、ｇ　特別遊技として大当たり遊技を実行し（【００２０】）、
　　　　上始動口に遊技球が入球した時に大当たり図柄乱数を取得する大当たり図柄乱数テーブルと、電チューに遊技球が入球した時に大当たり図柄乱数を取得する大当たり図柄乱数テーブルとで各種大当たりの選択比率は異なるが、いずれかのテーブルを用いて、大当たり図柄に対応させて（【００２６】、【図５】（ｂ）、（ｃ））、
ｅ、ｊ　大当たり遊技終了後に高確率遊技と時短遊技の両方を付与する大当たりとして、
ｊ１　　　１Ｒの総開放時間が２７秒（９秒開放×３回）の第１パターンを用いた第１の高確率時短付長当たり、
ｊ３　　　１Ｒの総開放時間が２９秒（５秒開放×２、及び１９秒開放×１回）の第２パターンを用いた第２の高確率時短付長当たり、
ｊ２　　　１Ｒの総開放時間が９秒（９秒開放×１回）の第３パターンを用いた第３の高確率時短付長当たり
　　　　を決定可能とし（認定事項シ）、
ｋ　　　大当たり遊技終了後に所定期間（例えば１００回）の時短遊技を付与する大当たりとして、
ｋ１　　　１Ｒの総開放時間が２７秒（９秒開放×３回）の第１パターンを用いた第１の通常時短付長当たり、
ｋ２　　　１Ｒの総開放時間が２９秒（５秒開放×２、及び１９秒開放×１回）の第２パターンを用いた第２の通常時短付長当たり、
ｋ３　　　１Ｒの総開放時間が９秒（９秒開放×１回）の第３パターンを用いた第３の通常時短付長当たり
　　　　を決定可能とし（認定事項シ）、
　
ｅ　　時短遊技状態では、電チュー１４の開口時間が長くなり、電チュー１４に遊技球が入賞し（【００３５】）、通常遊技状態（低確率遊技状態）では、大当たりの割合が、例えば１／３００に設定され、高確率遊技状態では、大当たりの割合が１０倍の１０／３００に設定され（【００２７】）たパチンコ遊技機。」
　
５　対比
　本願発明と刊行物発明とを、分説に従い対比する。
　（ａ）刊行物発明における
　　　　「遊技盤１０における遊技領域１０ａ」、
　　　　「上始動口１３」、
　　　　「電チュー１４」は、
　それぞれ、本願発明における
　　　　「遊技球が流下可能な遊技領域」、
　　　　「第１始動領域」、
　　　　「第２始動領域」に相当する。
　
　したがって、刊行物発明における構成ａの「可変入賞装置１２」は、本願発明における構成Ａの「第１始動領域および第２始動領域」に相当する。
　
　（ｂ）刊行物発明において、「電チュー１４」は、可動片が閉じた遊技球が通過し難い状態と、可動片が開いた遊技球が通過し易い状態とに電動により選択的に駆動されるものである。
　したがって、刊行物発明における構成ｂの「電チュー１４」は、本願発明における構成Ｂの「第１可変入賞装置」に相当する。
　
　（ｃ）刊行物発明において、可変入賞装置１２は「遊技領域１０ａに配置されている」ものであるから、「可変入賞装置１２の下方に」設けられた「大入賞装置」も遊技領域に配置されているものである。
　
　そして、刊行物発明における「大入賞口１６」は、本願発明における「入賞領域」に相当する。
　また、刊行物発明において、「大入賞装置」は、特別遊技状態のときに開成状態になり遊技球を通過可能とし、特別遊技状態でないときに閉状態になり、遊技球が通過しないものである。
　したがって、刊行物発明における構成ｃの「大入賞口１６」は、本願発明における構成Ｃ１の「入賞領域」に相当し、また、刊行物発明における構成ｃの「大入賞装置」は、本願発明における構成Ｃ２の「第２可変入賞装置」に相当する。
　
　（ｄ）刊行物発明における「第１始動口ＳＷ１３ａがＯＮであると判別した場合、または、第２始動口ＳＷ１４ａがＯＮであると判別した場合」は、本願発明における「第１始動領域または第２始動領域を遊技球が通過することを条件」とすることに相当する。
　そして、刊行物発明において、「ＣＰＵ１１２は」、「大当たり乱数の判定を行い」、「大当たりと判別した場合」、「特別遊技として大当たり遊技を実行」するものであり、「特別遊技状態」のときに「大入賞口１６」が開成状態になることから、刊行物発明における「大当たり乱数の判定を行（Ｓ２０４）」うことは、本願発明における「第２可変入賞装置を開状態に作動させる特別遊技を行うか否かを」「判定する」ことに相当する。
　また、刊行物発明において、「高確率時乱数判定テーブル、または、低確率時乱数判定テーブルを選択」することは、選択されたテーブルを用いて「大当たり乱数の判定」を高確率、あるいは、低確率といった所定確率で行うことである。
　したがって、刊行物発明における「ＣＰＵ１１２」は、本願発明における構成Ｄ１の「特別遊技判定手段」として機能するものである。
　
　さらに、刊行物発明の「大当たり乱数の判定」は、それぞれ、「上始動口１３」、「電チュー１４」毎に行われるものであることから、刊行物発明における「ＣＰＵ１１２」は、本願発明における構成Ｄ２の「第１特別遊技判定手段」、及び、「第２特別遊技判定手段」としての機能を有するものである。
　
　（ｅ）刊行物発明における「大当たりと判別した場合」は、本願発明における「特別遊技判定手段による判定結果に基づ」くことに相当する。
　そして、刊行物発明において、「時短遊技状態」は、「電チュー１４の開口時間が長くなり、電チュー１４に遊技球が入賞」し易い遊技状態であるから、本願発明の「第１可変入賞装置を第２状態に作動させ易くする」遊技状態に相当する。
　また、刊行物発明における「高確率遊技状態」は、「大当たりの割合が」「通常遊技状態（低確率遊技状態）」の「１０倍に」設定されていることから、本願発明における「特別遊技判定手段により特別遊技を行うか否かが通常確率よりも高い高確率で判定される」遊技状態に相当する。
　したがって、刊行物発明における「大当たり遊技終了後に」付与される、併せて実行される「高確率遊技と時短遊技の両方」の遊技は、本願発明における「特定遊技」に相当する。
　
　よって、刊行物発明における「ＣＰＵ１１２」は、本願発明における構成Ｅの「特定遊技判定手段」として機能するものである。
　
　（ｆ）刊行物発明において、「ＣＰＵ１１２」が決定する「大当たり」には、構成ｊ、ｋの
　・１Ｒの総開放時間が２７（９秒開放×３回）秒の第１パターンを用いた第１の高確率時短付長当たり（構成ｊ１）、
　・１Ｒの総開放時間が２９秒（５秒開放×２、及び１９秒開放×１回）の第２パターンを用いた第２の高確率時短付長当たり（構成ｊ２）、
　・１Ｒの総開放時間が９秒（９秒開放×１回）の第３パターンを用いた第３の高確率時短付長当たり（構成ｊ３）、
　・１Ｒの総開放時間が２７秒（９秒開放×３回）の第１パターンを用いた第１の通常時短付長当たり（構成ｋ１）、
　・１Ｒの総開放時間が２９秒（５秒開放×２、及び１９秒開放×１回）の第２パターンを用いた第２の通常時短付長当たり（構成ｋ２）、
　・１Ｒの総開放時間が９秒（９秒開放×１回）の第３パターンを用いた第３の通常時短付長当たり（構成ｋ３）、
　といった総開放時間の異なるものがある。
　
　したがって、刊行物発明における「ＣＰＵ１１２」は、本願発明における構成Ｆの「特別遊技決定手段」として機能するものである。
　
　（ｇ）上記（ｆ）において検討したように、刊行物発明における「ＣＰＵ１１２」は、複数種類の大当たりから一つの大当たりを決定するものであり、本願発明における「特別遊技決定手段」としての機能を有するものであるから、刊行物発明における「大当たり遊技」は、本願発明における「特別遊技決定手段」により決定されたものである。
　
　したがって、刊行物発明における「特別遊技として大当たり遊技を実行」する「ＣＰＵ１１２」は、本願発明における構成Ｇの「特別遊技手段」として機能するものである。
　
　（ｈ）刊行物発明における「ＣＰＵ１１２」は、「特別遊技として大当たり遊技を実行」するものであるから、「大当たり遊技終了後に」付与される「高確率遊技と時短遊技の両方」は、本願発明における「特別遊技が行われた後に」行われる「特定遊技」に相当する。
　
　したがって、刊行物発明における「ＣＰＵ１１２」は、本願発明における構成Ｈの「特定遊技手段」として機能するものである。
　
　（ｉ）刊行物発明において、「ＣＰＵ１１２は、」「大当たり図柄として」、「大当たり遊技終了後に高確率遊技と時短遊技の両方を付与した大当たり」を設定しない場合に、「大当たり遊技終了後に所定期間（例えば１００回）の時短遊技を付与した大当たり」を設定する場合があるものである。
　そして、刊行物発明における「大当たり図柄として」、「大当たり遊技終了後に高確率遊技と時短遊技の両方を付与した大当たり」を設定しない場合は、本願発明における「特定遊技判定手段により特定遊技を行わないと判定された場合」に相当する。
　また、刊行物発明における「大当たり遊技終了後に」付与される「所定期間（例えば１００回）の時短遊技」は、高確率遊技は付与されないことから、本願発明における構成Ｉの「特別遊技手段により１の特別遊技が行われた後に、第１可変入賞装置を第２状態に作動させ易くすると共に、特別遊技判定手段により特別遊技を行うか否かが通常確率で判定される非特定遊技」に相当する。
　
　したがって、刊行物発明における「ＣＰＵ１１２」は、本願発明における構成Ｉの「非特定遊技手段」として機能するものである。
　
　（ｊ〜ｎ）本願発明における「第２可変入賞装置」の「第１の開放時間」が、個々のラウンド中期間であるとした場合と、全ラウンド中期間であるとした場合があるものと解される。
　そして、本願発明において、「第２可変入賞装置」の「第１の開放時間」が、「個々のラウンド中期間」であるとした場合も、「全ラウンド中期間」であるとした場合も、いずれの期間も比例関係にあることから、いずれの期間を採用しても、刊行物発明との相当関係についての検討に影響を与えるものではない。そこで、以下、便宜上、「第２可変入賞装置」の「第１の開放時間」が、「個々のラウンド中期間」であるとして検討を行う。
　ここで、刊行物発明において、「大当たり図柄乱数」を取得することは、「大当たり図柄乱数」の取得が「大当たりと判別した場合」に行われるものであることから、本願発明における「第１特別遊技判定手段により特別遊技を行うと判定され」たことを前提として行われるものである。
　したがって、刊行物発明における構成ｊの「大当たり遊技終了後に高確率遊技と時短遊技の両方を付与した大当たり」としての「１Ｒの総開放時間が２７秒（９秒開放×３回）の第１パターンを用いた第１の高確率時短付長当たり」（構成ｊ１）は、本願発明における構成Ｊの「第１特別遊技」に相当する。
　
　同様にして、刊行物発明における構成ｋの「大当たり遊技終了後に所定期間（例えば１００回）の時短遊技を付与した大当たり」としての「１Ｒの総開放時間が２７秒（９秒開放×３回）の第１パターンを用いた第１の通常時短付長当たり」（構成ｋ１）、及び、「１Ｒの総開放時間が２９秒（５秒開放×２、及び１９秒開放×１回）の第２パターンを用いた第２の通常時短付長当たり」（構成ｋ２）は、本願発明における構成Ｋの「所定の特別遊技」に相当する。
　
　同様にして、刊行物発明における構成ｊの「大当たり遊技終了後に高確率遊技と時短遊技の両方を付与した大当たり」としての「１Ｒの総開放時間が９秒（９秒開放×１回）の第３パターンを用いた第３の高確率時短付長当たり」（構成ｊ３）は、第３パターンの開放時間９秒が、第１パターンの開放時間２７秒（９秒開放×３回）よりも短いことから、本願発明における構成Ｌの「第２特別遊技」に相当する。
　
　同様にして、刊行物発明における構成ｊの「大当たり遊技終了後に高確率遊技と時短遊技の両方を付与した大当たり」としての「１Ｒの総開放時間が２９秒（５秒開放×２、及び１９秒開放×１回）の第２パターンを用いた第２の高確率時短付長当たり」（構成ｊ２）は、第２パターンの開放時間２９秒（５秒開放×２、及び１９秒開放×１回）が、第１パターンの開放時間２７秒（９秒開放×３回）よりも長いことから、本願発明における構成Ｍの「第３特別遊技」に相当する。
　
　同様にして、刊行物発明における構成ｋの「大当たり遊技終了後に所定期間（例えば１００回）の時短遊技を付与した大当たり」としての「１Ｒの総開放時間が９秒（９秒開放×１回）の第３パターンを用いた第３の通常時短付長当たり」（構成ｋ３）は、第３パターンの開放時間９秒（９秒開放×１回）が、第１パターンの開放時間２７秒（９秒開放×３回）よりも短いことから、本願発明における構成Ｎの「第５特別遊技」に相当する。
　
　上記（ａ）〜（ｎ）によれば、本願発明と刊行物発明とは、
　「遊技球が流下可能な遊技領域に設けられた第１始動領域および第２始動領域と、
　前記第２始動領域を遊技球が通過し難い第１状態と、当該第１状態よりも遊技球が通過し易い第２状態とに作動し得る第１可変入賞装置と、
　前記遊技領域に設けられた入賞領域と、
　前記入賞領域を遊技球が通過しない閉状態と、遊技球が通過可能な開状態とに作動し得る第２可変入賞装置と、
　前記第１始動領域または前記第２始動領域を遊技球が通過することを条件に、前記第２可変入賞装置を前記開状態に作動させる特別遊技を行うか否かを所定の確率で判定する特別遊技判定手段と、
　前記特別遊技判定手段による判定結果に基づいて、前記第１可変入賞装置を前記第２状態に作動させ易くすると共に、前記特別遊技判定手段により前記特別遊技を行うか否かが通常確率よりも高い高確率で判定される特定遊技を行うか否かを判定する特定遊技判定手段と、
　前記特別遊技判定手段により前記特別遊技を行うと判定された場合、前記第２可変入賞装置が前記開状態に作動させられる開放時間が異なる複数種類の特別遊技のうち１の特別遊技を決定する特別遊技決定手段と、
　前記特別遊技決定手段により決定された前記１の特別遊技を行う特別遊技手段と、
　前記特定遊技判定手段により前記特定遊技を行うと判定された場合、前記特別遊技手段により前記１の特別遊技が行われた後に、前記特定遊技を行う特定遊技手段と、
　前記特定遊技判定手段により前記特定遊技を行わないと判定された場合、前記特別遊技手段により前記１の特別遊技が行われた後に、前記第１可変入賞装置を前記第２状態に作動させ易くすると共に、前記特別遊技判定手段により前記特別遊技を行うか否かが前記通常確率で判定される非特定遊技を行う非特定遊技手段と、を備え、
　前記特別遊技判定手段は、
　前記第１始動領域を遊技球が通過することを条件に、前記特別遊技を行うか否かを判定する第１特別遊技判定手段と、
　前記第２始動領域を遊技球が通過することを条件に、前記特別遊技を行うか否かを判定する第２特別遊技判定手段と、を有し、
　前記特別遊技決定手段は、
　前記第１特別遊技判定手段により前記特別遊技を行うと判定され且つ前記特定遊技判定手段により前記特定遊技を行うと判定された場合、前記第２可変入賞装置が第１の開放時間前記開状態に作動させられる第１特別遊技を決定し、
　前記第２特別遊技判定手段により前記特別遊技を行うと判定され且つ前記特定遊技判定手段により前記特定遊技を行わないと判定された場合、前記第２可変入賞装置が所定の開放時間前記開状態に作動させられる所定の特別遊技を決定し、
　前記第２特別遊技判定手段により前記特別遊技を行うと判定され且つ前記特定遊技判定手段により前記特定遊技を行うと判定された場合、前記複数種類の特別遊技のうち前記第２可変入賞装置が前記第１の開放時間よりも短い第２の開放時間前記開状態に作動させられる第２特別遊技、および、前記第２可変入賞装置が前記第１の開放時間よりも長い第３の開放時間前記開状態に作動させられる第３特別遊技の何れかをそれぞれ所定の割合で決定
し、
　前記第１特別遊技判定手段により前記特別遊技を行うと判定され且つ前記特定遊技判定手段により前記特定遊技を行わないと判定された場合、前記第２可変入賞装置が前記第１の開放時間よりも短い第５の開放時間前記開状態に作動させられる第５特別遊技を決定する遊技機。」
　の点で一致し、相違する点はない。
　
６　当審の判断
　（１）上記５において検討したとおり本願発明は、刊行物発明と同一のものであり、前記刊行物に記載された発明である。
　
　（２）請求人の主張について 
　請求人は、平成２８年７月８日付けの意見書において、次のように主張している。
「本願発明１における第２の開放時間＜第１の開放時間＜第３の開放時間の関係は、第１特別遊技、第２特別遊技、第３特別遊技において獲得される出球の相対的な関係が、第２特別遊技（０発）＜第１特別遊技（１２００発）＜第３特別遊技（２４００発）であることを示しております。
　同様に、第５の開放時間＜第１の開放時間の関係は、第１特別遊技、第５特別遊技において獲得される出球の相対的な関係が、第５特別遊技（６００発）＜第１特別遊技（１２００発）であることを示しております。
　これに対して、刊行物１に記載の発明では、本願発明１の第１特別遊技に対応する第１の高確率時短付き長当たりにおいて獲得可能な出球数が１７７５発、本願発明１の第２特別遊技に対応する高確率時短付き短当たりにおいて獲得可能な出球数０発、本願発明１の第３特別遊技に対応する第２の高確率時短付き長当たりにおいて獲得可能な出球数が１７７５発であり、本願発明１の特別遊技の関係である高確率時短付き短当たり（０発）＜第１の高確率時短付き長当たり（１７７５発）＜第２の高確率時短付き長当たり（１７７５発）を満たすような構成にはなっておりません。
　従いまして、本願発明１の構成は、刊行物に記載の発明とは異なります。そして、刊行物には、本願発明１の第１特別遊技、第２特別遊技、第３特別遊技の各開放時間（獲得出球）の関係を示唆するような記載もありませんので、たとえ当業者であっても刊行物に記載された発明から本願発明１を想到することはできないと思料いたします。」（５頁２１〜３８行）
　
　上記主張について検討する。
　請求人は、本願発明の「第２可変入賞装置」の開放時間の違いは、獲得可能な出球数の違いに対応するものである旨主張する。
　しかしながら、本願の請求項１には、大当たりの種類に応じて「第２可変入賞装置」の開放時間を異ならせることは特定されているが、大当たりの種類に応じて、獲得可能な出球数を異ならせることについて、何ら特定するものではない。
　したがって、請求人の主張は、本願の特許請求の範囲の記載に基づくものではない。
　そして、刊行物発明が、本願発明の「第２可変入賞装置」の開放時間に関する発明特定事項を備えることについては、前記５　コにおいて検討したとおりである。
　よって、請求人の上記主張を採用することはできない。
　
７　むすび
　以上のとおりであるから、本願発明は、特許法第２９条第１項第３号に該当し特許を受けることができない。
　したがって、その余の請求項に係る発明において検討するまでもなく、本願は、拒絶されるべきものである。
　
　よって、結論のとおり審決する。